(57)【要約】【課題】本発明は、被着体に一度貼付した後、再利用することができるＲＦＩＤラベルを提供することを課題とする。【解決手段】ラベル基体３に、ＲＦＩＤ７が設けられている箇所を含み、ラベル基体３に形成された破断用切り込み３１によって、もしくは破断用切り込み３１とラベル基体３の端辺とによって周囲を取り囲まれた分離ラベル片３２を形成すると共に、台紙４に、分離ラベル片３２が仮着されている領域の外周にスリット４１を形成して、当該スリット４１によって囲まれた分離台紙片４２を形成するように構成することにより、破断用切り込み３１を破断させてラベル基体３から分離ラベル片３２を分離させ、分離ラベル片３２の裏面に仮着された分離台紙片４２を剥がして新たな被着体に貼付することが可能になる。【選択図】        図１
2007232766.tif 000002
【特許請求の範囲】
【請求項１】
裏面に粘着剤が塗布され、ＲＦＩＤが設けられたラベル基体と、当該ラベル基体の裏面に仮着された台紙とからなるＲＦＩＤラベルであって、
前記ラベル基体には、前記ＲＦＩＤが設けられている箇所を含み、前記ラベル基体に形成された破断用切り込みと前記ラベル基体に形成されたスリットと前記ラベル基体の端辺とのいずれかもしくは複数の組み合わせによって周囲を取り囲まれた分離ラベル片が形成され、
前記台紙には、前記分離ラベル片が仮着されている箇所を少なくとも含む領域の外周にスリットが形成されており、当該スリットによって囲まれた分離台紙片が形成されていることを特徴とするＲＦＩＤラベル。
【請求項２】
前記ラベル基体には、前記ラベル基体に形成された破断用切り込みによって、もしくは前記破断用切り込みと前記ラベル基体の端辺とによって周囲を取り囲まれた前記分離ラベル片が形成され、
前記台紙には、前記分離ラベル片が仮着されている箇所の外周にスリットが形成されており、当該スリットによって囲まれた前記分離台紙片が形成されていることを特徴とする請求項１記載のＲＦＩＤラベル。
【請求項３】
前記ラベル基体には、前記ラベル基体に形成されたスリットによって、もしくは前記スリットと前記ラベル基体の端辺とによって周囲を取り囲まれた前記分離ラベル片が形成され、
前記台紙には、前記分離ラベル片の面積よりも広い領域の外周にスリットが形成されており、当該スリットによって囲まれた前記分離台紙片が形成されていることを特徴とする請求項１記載のＲＦＩＤラベル。
【請求項４】
前記分離ラベル片は、前記破断用切り込みもしくは前記スリットと前記ラベル基体の端辺とによって周囲を取り囲まれており、
前記ラベル基体の端辺には、掴み片が形成されていることを特徴とする請求項１乃至３記載のＲＦＩＤラベル。
【請求項５】
前記分離台紙片は、前記掴み片が仮着された箇所を含まないように形成されていることを特徴とする請求項４記載のＲＦＩＤラベル。
【請求項６】
ラベル連続体として連続して形成された請求項４又は５記載のＲＦＩＤラベルであって、
前記掴み片が巻きだし方向に対して後方側に位置するように配列されていることを特徴とするＲＦＩＤラベル。
【発明の詳細な説明】
【技術分野】
【０００１】
本発明は、ＲＦＩＤ（Radio Frequency Identification）が設けられたＲＦＩＤラベルに関する。
【背景技術】
【０００２】
ＩＣチップおよび当該ＩＣチップに接続されたアンテナからなるＲＦＩＤの普及により、ＲＦＩＤをラベルとして加工したＲＦＩＤラベルを商品や当該商品を収納した外装箱に貼付することで物流管理や商品管理が行われている。
【０００３】
ＲＦＩＤの記憶容量は、ラベル上に印字される情報量に比べて格段に大きいため、ＲＦＩＤに詳細な物流情報や商品情報を記憶させておくことで、物流管理や商品管理を効果的に行うことが可能になるが、反面、従来のラベルに比べてＲＦＩＤラベルは高価なものになってしまう。そこで、ＲＦＩＤラベルが役割を終えた時点で、ＲＦＩＤラベルからＲＦＩＤを取り外して再利用することが提案されている（例えば、特許文献１参照）。
【０００４】
しかしながら、従来技術では、被着体に一度貼付したＲＦＩＤラベルの再利用を行うことができないという問題点があった。例えば、商品を段ボール等の外装箱に収納して搬送する場合に、外装箱に貼付したＲＦＩＤラベルは、商品を外装箱から取り出した段階で役割を終えることになり、外装箱から取り出した商品をＲＦＩＤによって商品管理を行う場合には、新たなＲＦＩＤラベルが貼付されることになる。また、外装箱に貼付されたＲＦＩＤラベルは、外装箱から剥がされ、ＲＦＩＤラベルからＲＦＩＤのみを取り出し、再度ラベルに加工することで再利用がなされていた。
【０００５】
【特許文献１】特開２００１−１８０１６３号公報
【発明の開示】
【発明が解決しようとする課題】
【０００６】
本発明は斯かる問題点に鑑みてなされたものであり、その目的とするところは、被着体に一度貼付した後でも、再利用することができるＲＦＩＤラベルを提供する点にある。
【課題を解決するための手段】
【０００７】
本発明は上記課題を解決すべく、以下に掲げる構成とした。
請求項１記載の発明の要旨は、裏面に粘着剤が塗布され、ＲＦＩＤが設けられたラベル基体と、当該ラベル基体の裏面に仮着された台紙とからなるＲＦＩＤラベルであって、前記ラベル基体には、前記ＲＦＩＤが設けられている箇所を含み、前記ラベル基体に形成された破断用切り込みと前記ラベル基体に形成されたスリットと前記ラベル基体の端辺とのいずれかもしくは複数の組み合わせによって周囲を取り囲まれた分離ラベル片が形成され、前記台紙には、前記分離ラベル片が仮着されている箇所を少なくとも含む領域の外周にスリットが形成されており、当該スリットによって囲まれた分離台紙片が形成されていることを特徴とするＲＦＩＤラベルに存する。
また請求項２記載の発明の要旨は、前記ラベル基体には、前記ラベル基体に形成された破断用切り込みによって、もしくは前記破断用切り込みと前記ラベル基体の端辺とによって周囲を取り囲まれた前記分離ラベル片が形成され、前記台紙には、前記分離ラベル片が仮着されている箇所の外周にスリットが形成されており、当該スリットによって囲まれた前記分離台紙片が形成されていることを特徴とする請求項１記載のＲＦＩＤラベルに存する。
また請求項３記載の発明の要旨は、前記ラベル基体には、前記ラベル基体に形成されたスリットによって、もしくは前記スリットと前記ラベル基体の端辺とによって周囲を取り囲まれた前記分離ラベル片が形成され、前記台紙には、前記分離ラベル片の面積よりも広い領域の外周にスリットが形成されており、当該スリットによって囲まれた前記分離台紙片が形成されていることを特徴とする請求項１記載のＲＦＩＤラベルに存する。
また請求項４記載の発明の要旨は、前記分離ラベル片は、前記破断用切り込みもしくは前記スリットと前記ラベル基体の端辺とによって周囲を取り囲まれており、前記ラベル基体の端辺には、掴み片が形成されていることを特徴とする請求項１乃至３記載のＲＦＩＤラベルに存する。
また請求項５記載の発明の要旨は、前記分離台紙片は、前記掴み片が仮着された箇所を含まないように形成されていることを特徴とする請求項４記載のＲＦＩＤラベルに存する。
また請求項６記載の発明の要旨は、ラベル連続体として連続して形成された請求項４又は５記載のＲＦＩＤラベルであって、前記掴み片が巻きだし方向に対して後方側に位置するように配列されていることを特徴とするＲＦＩＤラベルに存する。
【発明の効果】
【０００８】
本発明のＲＦＩＤラベルは、ラベル基体に、ＲＦＩＤが設けられている箇所を含み、ラベル基体に形成された破断用切り込みとラベル基体に形成されたスリットとラベル基体の端辺とのいずれかもしくは複数の組み合わせによって周囲を取り囲まれた分離ラベル片を形成すると共に、台紙に、分離ラベル片が仮着されている箇所を少なくとも含む領域の外周にスリットを形成して、当該スリットによって囲まれた分離台紙片を形成するように構成することにより、ラベル基体から分離した分離ラベル片を新たな被着体に貼付することが可能になり、例えば、商品を段ボール等の外装箱に収納して搬送する場合に、外装箱に貼付したラベル基体から分離ラベル片を分離させ、分離させた分離ラベル片を外装箱から取り出した商品に貼付することができ、被着体に一度貼付した後でも、再利用することができるという効果を奏する。
【０００９】
さらに、本発明のＲＦＩＤラベルは、ラベル基体に形成された破断用切り込みによって、もしくは破断用切り込みとラベル基体の端辺とによって周囲を取り囲まれた分離ラベル片を形成すると共に、台紙に、分離ラベル片が仮着されている箇所の外周にスリットを形成して、当該スリットによって囲まれた分離台紙片を形成するように構成することにより、分離台紙片に仮着された状態で、ラベル基体から分離ラベル片を分離させることができ、分離させた分離ラベル片の取り扱いを容易に行うことができるという効果を奏する。
【００１０】
さらに、本発明のＲＦＩＤラベルは、ラベル基体に形成されたスリットによって、もしくはスリットとラベル基体の端辺とによって周囲を取り囲まれた分離ラベル片を形成すると共に、台紙に、分離ラベル片の面積よりも広い領域の外周にスリットを形成して、当該スリットによって囲まれた分離台紙片が形成するように構成することにより、分離ラベル片は、端辺がきれいにカットされ、裏面の粘着剤が未使用であるため、ラベル基体から分離させた分離ラベル片を新たな被着体に貼付するに際し、未使用のラベルとして用いることができるという効果を奏する。
【００１１】
さらに、本発明のＲＦＩＤラベルは、分離ラベル片の外周の一部であるラベル基体の端辺に掴み片を形成するように構成することにより、掴み片を手で掴むことで、ラベル基体から分離ラベル片を分離させる分離作業を容易に行えるという効果を奏する。
【００１２】
さらに、本発明のＲＦＩＤラベルは、分離台紙片を掴み片が仮着された箇所を含まないように形成することにより、被着体にラベル基体を貼付した際に、掴み片の裏面も被着体に貼付されるため、ラベル基体の端辺側からの予期しない外力によって分離ラベル片が捲りあげられるのを防止することができるという効果を奏する。
【発明を実施するための最良の形態】
【００１３】
以下、本発明の実施の形態を図面に基づいて詳細に説明する。
【００１４】
（第１の実施の形態）
図１は、本発明に係るＲＦＩＤラベルの第１の実施の形態の構成を示す図であり、（ａ）は、表面図、（ｂ）は、（ａ）に示すＸ−Ｘ’断面図、（ｃ）は、裏面図である。
【００１５】
第１の実施の形態のＲＦＩＤラベル１は、図１を参照すると、裏面に粘着剤２が塗布されたラベル基体３と、ラベル基体３の裏面に仮着された台紙４とからなり、ラベル基体３には、ＩＣチップ５および当該ＩＣチップ５に接続されたアンテナ６からなるＲＦＩＤ７が設けられている。なお、第１の実施の形態では、図１（ｂ）に示すように、ラベル基体３の裏面に塗布された粘着剤２内にＲＦＩＤ７を設けるように構成したが、ＲＦＩＤ７をラベル基体３の表面に接着するようにしても良く、ＲＦＩＤ７をラベル基体３に内蔵させるようにしても良い。また、ＲＦＩＤ７とは、電波を用いて無線（非接触）で情報通信が可能な手段であり、非接触ＩＣ回路、無線ＩＣ回路等の他の呼称で表される場合もあるが、本明細書では、代表してＲＦＩＤ７と表現する。
【００１６】
粘着剤２としては、例えばエマルジョン系、ソルベント系、ホットメルト系のように任意の粘着剤が使用可能であると共に、素材も、アクリル系、ゴム系など任意であり、また、粘着剤の強さも強粘タイプや弱粘タイプなど任意である。
【００１７】
ラベル基体３には、紙基材やフィルム基材等の任意基材を用いることができ、ラベル基体３の表面は、プリンタによって印字および筆記具によって書き込みが行われる各種情報の表示部として用いられる。
【００１８】
また、ラベル基体３には、ＲＦＩＤ７が設けられている箇所を含み、ラベル基体３の端辺と、ラベル基体３に形成された破断用切り込み３１とによって周囲を取り囲まれた分離ラベル片３２が形成されている。なお、破断用切り込み３１は、等間隔、周期的もしくはランダムに、ラベル基体３の厚みの全部もしくは一部に施されている切り込みであり、破断用切り込み３１を挟んだそれぞれの部位に対してそれぞれ異なる方向に力が加わると簡単に破断されるようになっており、分離ラベル片３２を容易に切り離すことができるようになっている。第１の実施の形態では、分離ラベル片３２の形状を、一辺がラベル基体３の端辺、他の三辺が破断用切り込み３１となる略直方形としたが、分離ラベル片３２の形状としては、任意の形状を採用することができ、また、分離ラベル片３２の全周を破断用切り込み３１で取り囲むようにしても良い。さらに、分離ラベル片３２において、ラベル基体３の端辺と破断用切り込み３１との交点Ｃには、破断用切り込み３１による切り込みが形成されておらず、ラベル基体３の端辺側からの予期しない外力によって分離ラベル片３２が捲りあげられるのを防止している。
【００１９】
ラベル基体３に形成された分離ラベル片３２の外周の一部であるラベル基体３の端辺には、掴み片３３が形成されており、掴み片３３を手で掴むことで、ラベル基体３から分離ラベル片３２を分離させる分離作業を容易に行えるようになっている。
【００２０】
台紙４の少なくとも一方面には、シリコーン加工等の剥離加工が施されており、剥離加工が施された面に、ラベル基体３の裏面側、すなわちラベル基体３の裏面に塗布された粘着剤２が仮着されている。
【００２１】
台紙４には、掴み片３３を除く分離ラベル片３２が仮着されている領域の外周にスリット４１が形成されており、スリット４１によって囲まれた分離台紙片４２が形成されている。
【００２２】
次に、第１の実施の形態の使用方法について図２乃至図６を参照して詳細に説明する。
図２は、第１の実施の形態におけるラベル基体３から分離台紙片４２を残して台紙４を剥離する動作を説明する説明図であり、図３は、第１の実施の形態におけるラベル基体３を外装箱８に貼付した状態を示す説明図であり、図４は、第１の実施の形態における外装箱８に貼付したラベル基体３から分離ラベル片３２を分離させる動作を説明する説明図であり、図５は、第１の実施の形態における分離ラベル片３２から分離台紙片４２を剥離する動作を説明する説明図であり、図６は、本発明に係るＲＦＩＤラベルの分離ラベル片３２を商品９に貼付した状態を示す説明図である。
【００２３】
第１の実施の形態のＲＦＩＤラベル１を、商品９を収納して搬送する段ボール箱等の外装箱８に貼付して使用する例について説明する。なお、また、ラベル基体３の分離ラベル片３２の表示部には、商品名、価格等の商品情報が、分離ラベル片３２以外のラベル基体３の表示部には、搬送先等の物流情報がそれぞれ印字され、ラベル基体３（分離ラベル片３２）に設けられたＲＦＩＤ７には、商品情報および物流情報が記憶されているものとする。
【００２４】
ＲＦＩＤラベル１を外装箱８に貼付する場合には、図２に示すように、ラベル基体３から分離台紙片４２を残して台紙４を剥離し、分離ラベル片３２を除くラベル基体３の裏面に塗布された粘着剤２と、掴み片３３の裏面に塗布された粘着剤２とを露出させ、図３に示すように、外装箱８に貼付する。なお、分離ラベル片３２の裏面には、分離台紙片４２が仮着され、分離ラベル片３２が外装箱８に貼付されることはないが、分離ラベル片３２は、外装箱８に貼付されたラベル基体３に破断用切り込み３１によって繋がって保持される。これにより、分離ラベル片３２以外のラベル基体３の表示部に印字された物流情報を目視すると共に、ラベル基体３に設けられたＲＦＩＤ７に記憶させた商品情報や物流情報を図示しないリーダライタによって読み取ることによって、ラベル基体３が貼付された外装箱８の搬送管理を容易に行うことができる。なお、掴み片３３の裏面も外装箱８に貼付されているため、ラベル基体３の端辺側からの予期しない外力によって分離ラベル片３２が捲りあげられるのを防止している。
【００２５】
次に、外装箱８から商品９を取り出す際に、図４に示すように、掴み片３３を外装箱８から剥がし、剥がした掴み片３３を掴んで分離ラベル片３２を捲りあげることによって、破断用切り込み３１を破断させ、分離ラベル片３２をラベル基体３から切り離す。ラベル基体３から切り離した分離ラベル片３２の裏面側、すなわち分離ラベル片３２の裏面に塗布された粘着剤２には、分離台紙片４２が仮着された状態であるため、切り離した分離ラベル片３２がテーブル等に貼り付くことなく、容易に取り扱うことができる。
【００２６】
次に、図５に記すように、分離ラベル片３２から分離台紙片４２を剥離し、分離ラベル片３２の裏面に塗布された粘着剤２を露出させ、図６に示すように、外装箱８から取り出した商品９に貼付する。これにより、分離ラベル片３２の表示部に印字された商品情報を目視すると共に、分離ラベル片３２に設けられたＲＦＩＤ７に記憶させた商品情報を図示しないリーダライタによって読み取ることによって、分離ラベル片３２が貼付された商品９の商品管理を容易に行うことができる。
【００２７】
なお、第１の実施の形態では、掴み片３３の裏面にも粘着剤２を塗布する構成としたが、掴み片３３の裏面に対して糊殺し処理を行って外装箱８に貼付されないようにしても良く、さらに、掴み片３３の裏面に部分的に粘着剤２を塗布して外装箱８に貼付された際の粘着力を低下させるようにしても良い。この場合には、図３に示すように、ラベル基体３を外装箱８に貼付した状態で、掴み片３３を掴んで外装箱８から剥がしやすくなり、分離ラベル片３２の分離作業を容易に行うことができる。
【００２８】
また、第１の実施の形態では、掴み片３３を除く分離ラベル片３２が仮着されている領域の外周にスリット４１を形成し、スリット４１によって囲まれた分離台紙片４２に掴み片３３を除く分離ラベル片３２の裏面が仮着されるように構成したが、掴み片３３を含む分離ラベル片３２が仮着されている領域の外周にスリット４１を形成し、スリット４１によって囲まれた分離台紙片４２に掴み片３３を含む分離ラベル片３２の裏面が仮着されるように構成しても良い。この場合には、図３に示すように、ラベル基体３を外装箱８に貼付した状態で、掴み片３３が外装箱８に貼付されていないため、掴み片３３を掴みやすくなり、分離ラベル片３２の分離作業を容易に行うことができる。
【００２９】
以上説明したように、第１の実施の形態によれば、ラベル基体３に、ＲＦＩＤ７が設けられている箇所を含み、ラベル基体３に形成された破断用切り込み３１によって、もしくは破断用切り込み３１とラベル基体３の端辺とによって周囲を取り囲まれた分離ラベル片３２を形成すると共に、台紙４に、分離ラベル片３２が仮着されている領域の外周にスリット４１を形成して、当該スリット４１によって囲まれた分離台紙片４２を形成するように構成することにより、破断用切り込み３１を破断させてラベル基体３から分離ラベル片３２を分離させ、分離ラベル片３２の裏面に仮着された分離台紙片４２を剥がして新たな被着体に貼付することが可能になり、例えば、商品９を段ボール等の外装箱８に収納して搬送する場合に、外装箱８に貼付したラベル基体３から分離ラベル片３２を分離させ、分離させた分離ラベル片３２を外装箱８から取り出した商品９に貼付することができ、被着体に一度貼付した後、再利用することができると共に、分離台紙片４２に仮着された状態で、ラベル基体３から分離ラベル片３２を分離させることができ、分離させた分離ラベル片３２の取り扱いを容易に行うことができるという効果を奏する。
【００３０】
さらに、第１の実施の形態によれば、ラベル基体３に形成された分離ラベル片３２の外周の一部であるラベル基体３の端辺に掴み片３３を形成するように構成することにより、掴み片３３を手で掴むことで、ラベル基体３から分離ラベル片３２を分離させる分離作業を容易に行えるという効果を奏する。
【００３１】
さらに、第１の実施の形態によれば、分離台紙片４２を掴み片３３が仮着された箇所を含まないように形成することにより、被着体にラベル基体３を貼付した際に、掴み片３３の裏面も被着体に貼付されるため、ラベル基体３の端辺側からの予期しない外力によって分離ラベル片３２が捲りあげられるのを防止することができるという効果を奏する。
【００３２】
（第２の実施の形態）
図７は、本発明に係るＲＦＩＤラベルの第２の実施の形態の構成を示す図であり、（ａ）は、表面図、（ｂ）は、（ａ）に示すＸ−Ｘ’断面図、（ｃ）は、裏面図である。
【００３３】
第２の実施の形態のＲＦＩＤラベル１０は、図７を参照すると、裏面に粘着剤２が塗布されたラベル基体３と、ラベル基体３の裏面に仮着された台紙４とからなり、ラベル基体３には、ＩＣチップ５および当該ＩＣチップ５に接続されたアンテナ６からなるＲＦＩＤ７が設けられている。なお、本実施の形態では、図１（ｂ）に示すように、ラベル基体３の裏面に塗布された粘着剤２内にＲＦＩＤ７を設けるように構成したが、ＲＦＩＤ７をラベル基体３の表面に接着するようにしても良く、ＲＦＩＤ７をラベル基体３に内蔵させるようにしても良い。また、ＲＦＩＤ７とは、電波を用いて無線（非接触）で情報通信が可能な手段であり、非接触ＩＣ回路、無線ＩＣ回路等の他の呼称で表される場合もあるが、本明細書では、代表してＲＦＩＤ７と表現する。
【００３４】
粘着剤２としては、例えばエマルジョン系、ソルベント系、ホットメルト系のように任意の粘着剤が使用可能であると共に、素材も、アクリル系、ゴム系など任意であり、また、粘着剤の強さも強粘タイプや弱粘タイプなど任意である。
【００３５】
ラベル基体３には、紙基材やフィルム基材等の任意基材を用いることができ、ラベル基体３の表面は、プリンタによって印字および筆記具によって書き込みが行われる各種情報の表示部として用いられる。
【００３６】
また、ラベル基体３には、ＲＦＩＤ７が設けられている箇所を含み、ラベル基体３の端辺と、ラベル基体３に形成されたスリット３４とによって周囲を取り囲まれた分離ラベル片３２が形成されている。なお、第２の実施の形態では、分離ラベル片３２の形状を、一辺がラベル基体３の端辺、他の三辺がスリット３４となる略直方形としたが、分離ラベル片３２の形状としては、任意の形状を採用することができ、また、分離ラベル片３２の全周をスリット３４で取り囲むようにしても良い。
【００３７】
ラベル基体３に形成された分離ラベル片３２の外周の一部であるラベル基体３の端辺には、掴み片３３が形成されており、掴み片３３を手で掴むことで、ラベル基体３から分離ラベル片３２を分離させる分離作業を容易に行えるようになっている。
【００３８】
台紙４の少なくとも一方面には、シリコーン加工等の剥離加工が施されており、剥離加工が施された面に、ラベル基体３の裏面側、すなわちラベル基体３の裏面に塗布された粘着剤２が仮着されている。
【００３９】
台紙４には、掴み片３３を除く分離ラベル片３２が仮着されている全領域を少なくとも含み、分離ラベル片３２よりも広い面積を有する領域の外周にスリット４１が形成されており、スリット４１によって囲まれた分離台紙片４２が形成されている。従って、分離台紙片４２には、分離ラベル片３２の全部が仮着されていると共に、分離ラベル片３２を除くラベル基体３の一部が仮着されていることになる。なお、図７に示す例では、ラベル基体３に形成されたスリット３４と、台紙４に形成されたスリット４１とが対向する位置に形成されていないが、一部を対向する位置に形成するようにしても良い。また、第２の実施の形態では、分離台紙片４２は、掴み片３３が仮着された領域を含まないように形成されているものとする。
【００４０】
次に、第２の実施の形態の使用方法について図８乃至図１１を参照して詳細に説明する。
図８は、第２の実施の形態におけるラベル基体３から分離台紙片４２を残して台紙４を剥離する動作を説明する説明図であり、図９は、第２の実施の形態におけるラベル基体３を外装箱８に貼付した状態を示す説明図であり、図１０は、第２の実施の形態における外装箱８に貼付したラベル基体３から分離ラベル片３２を剥離させる動作を説明する説明図であり、図１１は、第２の実施の形態における剥離させた分離ラベル片３２を説明する説明図である。
【００４１】
第２の実施の形態のＲＦＩＤラベル１０を、商品９を収納して搬送する段ボール箱等の外装箱８に貼付して使用する例について説明する。なお、また、ラベル基体３の分離ラベル片３２の表示部には、商品名、価格等の商品情報が、分離ラベル片３２以外のラベル基体３の表示部には、搬送先等の物流情報がそれぞれ印字され、ラベル基体３（分離ラベル片３２）に設けられたＲＦＩＤ７には、商品情報および物流情報が記憶されているものとする。
【００４２】
ＲＦＩＤラベル１０を外装箱８に貼付する場合には、図８に示すように、ラベル基体３から分離台紙片４２を残して台紙４を剥離し、分離台紙片４２が仮着されている領域を除くラベル基体３の裏面に塗布された粘着剤２と、掴み片３３の裏面に塗布された粘着剤２とを露出させ、図９に示すように、外装箱８に貼付する。なお、分離ラベル片３２の裏面には、分離台紙片４２が仮着され、分離ラベル片３２が外装箱８に貼付されることはないが、外装箱８に貼付されたラベル基体３の一部に分離台紙片４２が仮着されているため、分離ラベル片３２は、外装箱８に貼付されたラベル基体３によって保持される。これにより、分離ラベル片３２以外のラベル基体３の表示部に印字された物流情報を目視すると共に、ラベル基体３に設けられたＲＦＩＤ７に記憶させた商品情報や物流情報を図示しないリーダライタによって読み取ることによって、ラベル基体３が貼付された外装箱８の搬送管理を容易に行うことができる。なお、掴み片３３の裏面も外装箱８に貼付されているため、ラベル基体３の端辺側からの予期しない外力によって分離ラベル片３２が捲りあげられるのを防止している。
【００４３】
次に、外装箱８から商品９を取り出す際に、図１０に示すように、掴み片３３を外装箱８から剥がし、剥がした掴み片３３を掴んで分離ラベル片３２を分離台紙片４２から剥離させ、図１１に示すように、分離ラベル片３２の裏面に塗布された粘着剤２を露出させる。なお、分離ラベル片３２を分離台紙片４２から剥離させる際には、分離台紙片４２が外装箱８に貼付されたラベル基体３との仮着によって保持されているため、分離ラベル片３２のみを手で掴んで上方に引き上げることで容易に剥離させることができる。
【００４４】
次に、図６に示すように、外装箱８から取り出した商品９に貼付する。これにより、分離ラベル片３２の表示部に印字された商品情報を目視すると共に、分離ラベル片３２に設けられたＲＦＩＤ７に記憶させた商品情報を図示しないリーダライタによって読み取ることによって、分離ラベル片３２が貼付された商品９の商品管理を容易に行うことができる。
【００４５】
以上説明したように、第２の実施の形態によれば、ラベル基体３に、ＲＦＩＤ７が設けられている箇所を含み、ラベル基体３に形成されたスリット３４によって、もしくはスリット３４とラベル基体３の端辺とによって周囲を取り囲まれた分離ラベル片３２を形成すると共に、台紙４に、分離ラベル片３２が仮着されている領域を少なくとも含み、分離ラベル片３２の面積よりも広い領域の外周にスリット４１を形成して、当該スリット４１によって囲まれた分離台紙片４２を形成するように構成することにより、第１の実施の形態と同様に、被着体に一度貼付した後、再利用することができると共に、分離ラベル片は、端辺がきれいにカットされ、裏面の粘着剤が未使用であるため、ラベル基体から分離させた分離ラベル片を新たな被着体に貼付するに際し、未使用のラベルとして用いることができるという効果を奏する。
【００４６】
図１２は、第１の実施の形態のＲＦＩＤラベル１を連続して形成したラベル連続体２０の構成を示す斜視図である。
第１の実施の形態のＲＦＩＤラベル１を連続して形成し、図１２に示すように、ロール状に巻き回したラベル連続体２０として用いることができる。この場合には、図１２に矢印で示す巻きだし方向に対して、掴み片３３が後方側に位置するようにＲＦＩＤラベル１を配列することより、図示しないプリンタで印字を行うに際し、ラベル連続体２０の搬送中に、掴み片３３が搬送路に接触して捲り上がり、ラベル基体３が台紙４から剥がれてしまうことを防止することができる。なお、第２の実施の形態のＲＦＩＤラベル１０をラベル連続体２０として連続して形成するようにしても良い。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４８】
【図１】本発明に係るＲＦＩＤラベルの第１の実施の形態の構成を示す図であり、（ａ）は、表面図、（ｂ）は、（ａ）に示すＸ−Ｘ’断面図、（ｃ）は、裏面図である。
【図２】第１の実施の形態におけるラベル基体から分離台紙片を残して台紙を剥離する動作を説明する説明図である。
【図３】第１の実施の形態におけるラベル基体を外装箱に貼付した状態を示す説明図である。
【図４】第１の実施の形態における外装箱に貼付したラベル基体から分離ラベル片を分離させる動作を説明する説明図である。
【図５】第１の実施の形態における分離ラベル片から分離台紙片を剥離する動作を説明する説明図である。
【図６】本発明に係るＲＦＩＤラベルの分離ラベル片を商品に貼付した状態を示す説明図である。
【図７】本発明に係るＲＦＩＤラベルの第２の実施の形態の構成を示す図であり、（ａ）は、表面図、（ｂ）は、（ａ）に示すＸ−Ｘ’断面図、（ｃ）は、裏面図である。
【図８】第２の実施の形態におけるラベル基体から分離台紙片を残して台紙を剥離する動作を説明する説明図である。
【図９】第２の実施の形態におけるラベル基体を外装箱に貼付した状態を示す説明図である。
【図１０】第２の実施の形態における外装箱に貼付したラベル基体から分離ラベル片を剥離させる動作を説明する説明図である。
【図１１】第２の実施の形態における剥離させた分離ラベル片を説明する説明図である。
【図１２】第１の実施の形態のＲＦＩＤラベルを連続して形成したラベル連続体の構成を示す斜視図である。
【符号の説明】
【００４９】
１  ＲＦＩＤラベル（第１の実施の形態）
２  粘着剤
３  ラベル基体
４  台紙
５  ＩＣチップ
６  アンテナ
７  ＲＦＩＤ
８  外装箱
９  商品
１０  ＲＦＩＤラベル（第２の実施の形態）
２０  ラベル連続体
３１  破断用切り込み
３２  分離ラベル片
３３  掴み片
３４  スリット
４１  スリット
４２  分離台紙片
【図１】
2007232766.tif 000003
【図２】
2007232766.tif 000004
【図３】
2007232766.tif 000005
【図４】
2007232766.tif 000006
【図５】
2007232766.tif 000007
【図６】
2007232766.tif 000008
【図７】
2007232766.tif 000009
【図８】
2007232766.tif 000010
【図９】
2007232766.tif 000011
【図１０】
2007232766.tif 000012
【図１１】
2007232766.tif 000013
【図１２】
2007232766.tif 000014